(57)【要約】  【課題】  ぶどう、イチゴ等のパック物商品の陳列に好適であり、またリンゴなどの丸物商品や、多量且つ起立姿勢が整然とした陳列がし難い長物商品の陳列に好適な商品陳列台を提供すること。  【解決手段】  側面視が略凹面状１０ａで、左右方向に連続する側方陳列面１０ａを有するものであって、該凹面は、上方側の急斜面部１１及び急斜面部１１と段差１３を介して連続する下方側の緩斜面部１８からなる商品陳列台。【選択図】        図６
2006141664.tif 000002
【特許請求の範囲】
【請求項１】
側面視が略凹面状で、左右方向又は円周方向に連続する側方陳列面を有するものであって、該凹面は、上方側の急斜面部及び該急斜面部と段差を介して連続する下方側の緩斜面部からなることを特徴とする商品陳列台。
【請求項２】
該側方陳列面の下端に、商品の転落を防止する左右方向又は円周方向に連続する突起部を、更に有することを特徴とする請求項１記載の商品陳列台。
【請求項３】
該側方陳列面の上端に、左右方向又は円周方向に連続する突起部を、更にすることを特徴とする請求項２記載の商品陳列台。
【請求項４】
該側方陳列面を上下多段、且つ階段状とすることを特徴とする請求項１〜３のいずれか１項記載の商品陳列台。
【発明の詳細な説明】
【技術分野】
【０００１】
本発明は、主にスーパー、百貨店、専門店、コンビニエンスストアー等の店内
で商品を１段又は階段状で陳列するのに用いられ、陳列の演出に優れた商品陳列台に関するものである。
【背景技術】
【０００２】
近年、スーパー、百貨店、専門店、コンビニエンスストアー等の店内で例えば商品の陳列に使用される商品陳列棚として、図１４及び図１５に示すように、商品Ａを載置する１以上の斜面１０１を一方向に隣接して設け、この一方向一端に商品落下防止部１０２を有して表陳列面１０３を構成し、該表陳列面１０３の裏側に仕切り板の嵌合溝１０４を少なくとも１以上設けて裏陳列面１０５を構成してなり、例えば陳列ケース内に高さ可変の設置台を配設し、該設置台に商品陳列棚１００の前記表陳列面及び裏陳列面のいずれか一方を置き、いずれか他方に商品を陳列する陳列棚が知られている（特開２００１−１９７９８４号公報）。この商品陳列棚１００は、少ない部品で、商品の多様化、頻繁に起こる模様替えに十分に対応出来、模様替えの度に不用となったり、新たに購入する必要性を少なくし、かつ保管のためのスペースを減らすことができる効果があり、極めて有用な陳列棚である。
【発明の開示】
【発明が解決しようとする課題】
【０００３】
しかしながら、特開２００１−１９７９８４号公報記載の商品陳列棚１００において、パック物商品を急傾斜の陳列面１０１に陳列する場合、陳列商品が隣接する下段のパック物商品と重なり、また、陳列面が段差状（図中、符号Ｘで示す）となるため、パック物商品の中味が見難い。また、パック物商品をひな壇状の陳列面１０１に陳列する場合、陳列面が上を向いてしまい、また、陳列面が段差状（図中、符号Ｙで示す）となるため、パック物商品の中味が見難い。また、特開２００１−１９７９８４号公報記載の商品陳列棚１００に、果実等の丸物商品やネギ類などの長物商品を陳列する場合、多量の陳列ができないため、丸物商品や長物商品の陳列には適さない、という問題があった。
【０００４】
従って、本発明の目的は、ぶどう、イチゴ等のパック物商品の陳列に好適であり、またリンゴなどの丸物商品や、多量且つ起立姿勢が整然とした陳列がし難い長物商品の陳列に好適な商品陳列台を提供することにある。
【課題を解決するための手段】
【０００５】
かかる実情において、本発明者は鋭意検討を行った結果、側面視が略凹面状を呈する側方陳列面を有するものであって、該凹面は、上方側の急斜面部及び該急斜面部が段差を介して連続する下方側の緩斜面部からなる商品陳列台とすれば、該段差が商品の滑り止めあるいは転落防止の作用を奏するため、パック物商品、丸物商品、及び長物商品の陳列に極めて好適であること等を見出し、本発明を完成するに至った。
【０００６】
すなわち、本発明は、側面視が略凹面状で、左右方向又は円周方向に連続する側方陳列面を有するものであって、該凹面は、上方側の急斜面部及び該急斜面部と段差を介して連続する下方側の緩斜面部からなることを特徴とする商品陳列台を提供するものである。
【発明の効果】
【０００７】
本発明によれば、側方陳列面の中段やや下方に形成される段差が、商品の滑り止めあるいは転落防止の作用を奏するため、ぶどう、イチゴ等のパック物商品の斬新な陳列を演出できる。また、側方陳列面の下端及び上端に、商品の転落を防止する左右方向又は円周方向に連続する突起部を付設した商品陳列台であれば、下端の突起部が、商品の滑り止めあるいは転落防止の作用を奏するため、側方陳列面にパック物商品の重ね置きができる。また、側方陳列面の段差と下端の突起部間でリンゴなどの丸物商品を安定して載置するため、丸物商品の重ね置きも可能である。また、多量且つ起立姿勢が整然とした陳列がし難い長物商品の陳列にも好適である。
【発明を実施するための最良の形態】
【０００８】
次に、本発明の第１の実施の形態における商品陳列台を図１及び図２を参照して説明する。図１は本例の商品陳列台の一部を破断した斜視図、図２は図１の側面図である。本明細書中、「前」は顧客側を言う。図中、商品陳列台１は、底面１６、天面１５、左右両側面１９及び前方に左右方向に連続する側方陳列面を有する箱状形態であって、側方陳列面１０は、側面視が略凹面状であって、凹面は、上方側の急斜面部１１、急斜面部１１と段差１３を介して連続する下方側の緩斜面部１８及び上端の突起部１４からなる。なお、図中、商品陳列台１の切断されている部分の形態としては、特に制限されず、単なる箱状形態の後方部分であってもよく、側方陳列面１０とは反対側に同様の側方陳列面１０を有するものであってもよい。
【０００９】
急斜面部１１は、側方陳列面１０の大部分を占めるものであり、本例では中央から上方が直線状の傾斜面であり、下方側が曲率の大きな凹面を形成している。緩斜面部１８は、極僅かな前下がり傾斜面であり、直線傾斜であっても、凹面であってもよいが、僅かな凹面形状とすることが、丸物商品を緩斜面部１８のみで安定して載置することができる点で好ましい。上端の突起部１４は、側面視で頂点が丸みのある上方に突出した略三角形状であり、急斜面部１１から後方へ屈曲させて後方斜面１４１を形成し、天面１５に連続するものである。
【００１０】
段差１３の段差の程度としては、特に制限されないが、段差１３と上端の突起部１４間に置かれた陳列商品Ｅの転落を防止できる程度の段差であればよい。通常、数ｍｍ程度である。また、上端の突起部１４と天面１５で形成される段差は、この商品陳列台１を積み重ねて階段状の陳列面を形成する際、位置決めとなると共に、積み重ねられた商品陳列台１に陳列された商品の転落を防止するため、段差１３の段差より大きなものが好ましい。
【００１１】
商品陳列台１によれば、側方陳列面１０の中段やや下方に形成される段差１３が、商品の滑り止めあるいは転落防止の作用を奏するため、ぶどう、イチゴ等のパック物商品の斬新な陳列を演出できる。また、別途の準備された商品陳列台１を積み重ねれば、側方陳列面１０を上下多段、且つ階段状とすることができ、更に趣のある陳列面を演出できる。この場合、上端の突起部１４がその上に積み重ねられた商品陳列台１の側方陳列面１０のあたかも下端の突起部として機能し、上の商品陳列台１の側方陳列面１０に陳列された商品の連絡を防止する。
【００１２】
次に、本発明の第２の実施の形態における商品陳列台を図３及び図４を参照して説明する。図３は本例の商品陳列台の一部を破断した斜視図、図４は図３の側面図である。図３及び図４において、図１及び図２と同一構成要素には同一符号を付して、その説明を省略し、異なる点について主に説明する。すなわち、第２の実施の形態における商品陳列台１ａにおいて、第１の実施の形態における商品陳列台１と異なる点は、側方陳列面１０の下端に、商品の転落を防止する左右方向に連続する突起部１２を、更に設けた点にある。下端に付設された上方に突出する略三角形状の突起部１２は、上端に付設された突起部１４と同様の形状とすることが、商品陳列台１と組み合わせて使用する際、統一した形状とすることができる点で好ましい。
【００１３】
すなわち、商品陳列台１ａは、商品陳列台１と同様の効果を奏する他、下端に付設された突起部１２に陳列商品Ｆの下方端を掛けて陳列すれば、更に趣きのある陳列を行うことができる。また、商品陳列台１ａの天面１５上に、第１の実施の形態例の商品陳列台１を載置し、更に商品陳列台１の天面１５に商品陳列台１を積み重ねれば、全ての段の側方陳列面１０ａの下端に突起部１４（１２）が設けられた形態となり、種々の陳列面を演出できる。
【００１４】
次に、本発明の第３の実施の形態における商品陳列台を図５及び図６を参照して説明する。図５は本例の商品陳列台の斜視図、図６は図５の側面図である。図５及び図６において、図３及び図４と同一構成要素には同一符号を付して、その説明を省略し、異なる点について主に説明する。すなわち、第３の実施の形態における商品陳列台１ｂにおいて、第２の実施の形態における商品陳列台１ａと異なる点は、側方陳列面１０ａを上下多段（３段）、且つ階段状とした点である。このような３段の側方陳列面は、例えば、最下段に商品陳列台１ａを置き、その天面１５上に、商品陳列台１を載置し、更に商品陳列台１の天面１５に商品陳列台１を積み重ねれば、同様の形状となる。なお、商品陳列台１ｂは不図示の基台に下方の底面１６と上方の底面１７を乗せて設置される。
【００１５】
商品陳列台１ｂにパック物商品Ａを陳列する場合、図７に示すように、一つの側方陳列面１０ａに２つのパック物商品Ａを陳列することができる。この場合、１つのパック物商品Ａ（奥側）は、側方陳列面１０ａの段差１３に立て掛けるようにして設置し、他の一つのパック物商品Ａ（手前側）は、奥側のパック物商品Ａと下端の突起部１２に立て掛ければよい。
【００１６】
また、商品陳列台１ｂにパック物商品Ａを陳列する場合、図８に示すように、一つの側方陳列面１０ａに１つのパック物商品Ａをパック物商品Ａの上面が上を向くようにし、且つその上面の段差Ｙを極力無くした形態で陳列することができる。これによれば、陳列面が傾斜面でありながら、パック物商品Ａの上面が一直線上に並ぶという陳列方法も可能となる。
【００１７】
また、商品陳列台１ｂに丸物商品Ｂを陳列する場合、図９に示すように、丸物商品Ｂの形状が、側方陳列面１０ａの段差１３と下端の突起部１２間で形成される緩斜面部１８に嵌るものであれば、側方陳列面１０ａに先ず最初に丸物商品Ｂを乗せる場合、特段の注意を払うことなく置けば、丸物商品はそのまま陳列面の形状に沿って自動的に緩斜面部１８に載置されていく。そして、その上に更に他の丸物商品Ｂをどんどん乗せていけばよく、多量の丸物商品を短時間で陳列することができる。
【００１８】
また、商品陳列台１ｂに長物商品Ｃ、Ｄを陳列する場合、図１０及び図１１に示すように、長物商品Ｃ、Ｄの下端を段差１３又は下端の突起部１２に掛け、長物商品Ｃ、Ｄの腹部を上端の突起部１４に立て掛けるため、多量の長物商品Ｃ、Ｄの陳列にも係らず、滑らずあるいは転落することなく安定して陳列することができる。
【００１９】
次に、本発明の第４の実施の形態における商品陳列台を図１２を参照して説明する。図１２は本例の商品陳列台の斜視図である。図１２において、図１０及び図１１と同一構成要素には同一符号を付して、その説明を省略し、異なる点について主に説明する。すなわち、第４の実施の形態における商品陳列台１ｃにおいて、第３の実施の形態における商品陳列台１ｂと異なる点は、全体を略半円錐形の商品陳列台とした点にある。すなわち、側方陳列面１０ａは円周方向に連続する。このような商品陳列台１ｃによれば、上下３段の階段状であって、３６０度に亘る円周状の陳列面を形成することができるため、顧客はあらゆる方向からのアクセスが可能となる。
【００２０】
次に、本発明の第５の実施の形態における商品陳列台を図１３を参照して説明する。図１３は本例の商品陳列台の斜視図である。図１３において、図１２と同一構成要素には同一符号を付して、その説明を省略し、異なる点について主に説明する。すなわち、第５の実施の形態における商品陳列台１ｄにおいて、第４の実施の形態における商品陳列台１ｃと異なる点は、全体を略半円錐形の商品陳列台を縦に２分割した陳列台と、第３の商品陳列台１ｂの２台を組み合わせて、平面視でいわゆる陸上競技用トラック形状とした点にある。すなわち、側方陳列面１０ａは円周方向及び左右方向に連続する。このような商品陳列台１ｄによれば、上下３段の階段状であって、３６０度に亘る直線状及び円周状の陳列面を形成することができるため、顧客はあらゆる方向からのアクセスが可能となる。
【図面の簡単な説明】
【００２１】
【図１】第１の実施の形態の商品陳列台の一部を破断した斜視図である。
【図２】図１の側面図である。
【図３】第２の実施の形態の商品陳列台の一部を破断した斜視図である。
【図４】図２の側面図である。
【図５】第３の実施の形態の商品陳列台の斜視図である。
【図６】図５の側面図である。
【図７】第３の実施の形態の商品陳列台の使用例を示す図である。
【図８】第３の実施の形態の商品陳列台の他の使用例を示す図である。
【図９】第３の実施の形態の商品陳列台の他の使用例を示す図である。
【図１０】第３の実施の形態の商品陳列台の他の使用例を示す図である。
【図１１】第３の実施の形態の商品陳列台の他の使用例を示す図である。
【図１２】第４の実施の形態の商品陳列台の斜視図である。
【図１３】第５の実施の形態の商品陳列台の斜視図である。
【図１４】従来の商品陳列台の側面図である。
【図１５】従来の商品陳列台の他の側面図である。
【符号の説明】
【００２２】
１、１ａ、１ｂ、１ｃ、１ｄ、１００    商品陳列台
１０、１０ａ    側方陳列面
１１      急斜面部
１２      下端の突起部
１３      段差
１４      上端の突起部
１５      天面
１６      底面
１８      緩斜面部
Ａ        パック物商品
Ｂ        丸物商品
Ｃ、Ｄ    長物商品
【図１】
2006141664.tif 000003
【図２】
2006141664.tif 000004
【図３】
2006141664.tif 000005
【図４】
2006141664.tif 000006
【図５】
2006141664.tif 000007
【図６】
2006141664.tif 000008
【図７】
2006141664.tif 000009
【図８】
2006141664.tif 000010
【図９】
2006141664.tif 000011
【図１０】
2006141664.tif 000012
【図１１】
2006141664.tif 000013
【図１２】
2006141664.tif 000014
【図１３】
2006141664.tif 000015
【図１４】
2006141664.tif 000016
【図１５】
2006141664.tif 000017